(57)【要約】  【課題】ソファユニット全体の大きさや形を容易に変化させ、多様な形態のソファユニットを自在に構築することができる構成のソファユニットを実現する。  【解決手段】複数種類のソファ構成部材の中から選択された特定の１又は２以上のソファ構成部材２、７と、そのソファ構成部材２、７を支持するベースＢ１とを具備してなるソファユニットにおいて、前記ベースＢ１を、脚を有する複数の脚部材の中から選択された特定の１又は２以上の脚部材９、１０により構成する。【選択図】図１６
2019054835.tif 000002
【特許請求の範囲】
【請求項１】
複数種類のソファ構成部材の中から選択された特定の１又は２以上のソファ構成部材と、そのソファ構成部材を支持するベースとを具備してなるソファユニットであって、
前記ベースが、脚を有する複数の脚部材の中から選択された特定の１又は２以上の脚部材により構成されたものであるソファユニット。
【請求項２】
前記ベースが、前記特定の２以上の脚部材と、これら脚部材同士を接続する脚を有しない接続部材とを備えたものである請求項１記載のソファユニット。
【請求項３】
平面視における全体の輪郭が１又は２以上の平面視矩形状の単位モジュールを隣接配置した形態に対応しており、前記ソファ構成部材の平面視における輪郭が半モジュール、１モジュール、又は１．５モジュールのいずれかに対応するものである請求項１又は２記載のソファユニット。
【請求項４】
前記ソファ構成部材と前記ベースとの間の止着部が、各モジュールごとに同一の箇所に設けられている請求項３記載のソファユニット。
【請求項５】
前記止着部が、ベースに設けられたネジ挿通孔に貫通させたネジと、前記ソファ構成部材の底部に設けられたナットとを備えたものである請求項４記載のソファユニット。
【請求項６】
前記各モジュールごとに、当該モジュールの角部近傍に配された主たる止着部と、これら各止着部から一定距離だけ内側に位置させて配された従たる止着部とが設けられている請求項４又は５記載のソファユニット。
【請求項７】
前記ソファ構成部材の平面視における輪郭が１モジュールに対応するものは前記主たる止着部のみ又は前記従たる止着部のみを介して前記ベースに止着されるとともに、前記ソファ構成部材の平面視における輪郭が半モジュール又は１．５モジュールに対応するものは前記主たる止着部及び前記従たる止着部の双方を介して前記ベースに止着される請求項６記載のソファユニット。
【発明の詳細な説明】
【技術分野】
【０００１】
本発明は、ベース上にシートやベンチ等の構成部材を取捨選択して配置することが可能なソファユニットに関する。
【背景技術】
【０００２】
従来、この種のソファユニットとして、ベース上に所望の構成部材を配置していろいろなデザインのソファを構成することができるようにしたものが知られている（例えば、特許文献１を参照）。
【０００３】
ところが、従来のものは、前記ベースが、設計段階で決定された特定の形態をなすものであるため、ソファユニット全体の大きさや形を変化させることができない。
【先行技術文献】
【特許文献】
【０００４】
【特許文献１】登録実用新案第３１１９３５２号公報
【発明の概要】
【発明が解決しようとする課題】
【０００５】
本発明は、以上の点に着目してなされたもので、ソファユニット全体の大きさや形を容易に変化させ、多様な形態のソファユニットを自在に構築することができる構成のソファユニットを実現することを目的とするものである。
【課題を解決するための手段】
【０００６】
請求項１記載の発明に係るソファユニットは、複数種類のソファ構成部材の中から選択された特定の１又は２以上のソファ構成部材と、そのソファ構成部材を支持するベースとを具備してなるソファユニットであって、前記ベースが、脚を有する複数の脚部材の中から選択された特定の１又は２以上の脚部材により構成されたものである。
【０００７】
請求項２記載の発明に係るソファユニットは、請求項１記載の構成のものにおいて、前記ベースが、前記特定の２以上の脚部材と、これら脚部材同士を接続する脚を有しない接続部材とを備えたものである。
【０００８】
請求項３記載の発明に係るソファユニットは、請求項１又は２記載の構成のものにおいて、平面視における全体の輪郭が１又は２以上の平面視矩形状の単位モジュールを隣接配置した形態に対応しており、前記ソファ構成部材の平面視における輪郭が半モジュール、１モジュール、又は１．５モジュールのいずれかに対応するものである。
【０００９】
なお、本発明において、「単位モジュール」とは、各辺が所定の長さ寸法を有する矩形状の領域である。
【００１０】
請求項４記載の発明に係るソファユニットは、請求項３記載の構成のものにおいて、前記ソファ構成部材と前記ベースとの間の止着部が、各モジュールごとに同一の箇所に設けられているものである。
【００１１】
請求項５記載の発明に係るソファユニットは、請求項４記載の構成のものにおいて、前記止着部が、ベースに設けられたネジ挿通孔に貫通させたネジと、前記ソファ構成部材の底部に設けられたナットとを備えたものである。
【００１２】
請求項６記載の発明に係るソファユニットは、請求項４又は５記載の構成のものにおいて、前記各モジュールごとに、当該モジュールの角部近傍に配された主たる止着部と、これら各止着部から一定距離だけ内側に位置させて配された従たる止着部とが設けられているものである。
【００１３】
請求項７記載の発明に係るソファユニットは、請求項６記載の構成のものにおいて、前記ソファ構成部材の平面視における輪郭が１モジュールに対応するものは前記主たる止着部のみ又は前記従たる止着部のみを介して前記ベースに止着されるとともに、前記ソファ構成部材の平面視における輪郭が半モジュール又は１．５モジュールに対応するものは前記主たる止着部及び前記従たる止着部の双方を介して前記ベースに止着されるようにしているものである。
【発明の効果】
【００１４】
本発明によれば、ソファユニット全体の大きさや形を容易に変化させ、多様な形態のソファユニットを自在に構築することができる構成のソファユニットを実現することができる。
【図面の簡単な説明】
【００１５】
【図１】本発明の一実施形態に係る第１のソファ構成部材を示す斜視図。
【図２】同実施形態に係る第２のソファ構成部材を示す斜視図。
【図３】同実施形態に係る第３のソファ構成部材を示す斜視図。
【図４】同実施形態に係る第４のソファ構成部材を示す斜視図。
【図５】同実施形態に係る第５のソファ構成部材を示す斜視図。
【図６】同実施形態に係る第６のソファ構成部材を示す斜視図。
【図７】同実施形態に係る第７のソファ構成部材を示す斜視図。
【図８】同実施形態に係る第８のソファ構成部材を示す斜視図。
【図９】同実施形態に係る外装脚部材を示す斜視図。
【図１０】同実施形態に係る中間脚部材を示す斜視図。
【図１１】同実施形態に係るコーナー脚部材を示す斜視図。
【図１２】同実施形態に係る１２０度脚部材を示す斜視図。
【図１３】同実施形態に係る接続部材を示す斜視図。
【図１４】同実施形態に係るソファユニットを模式的に示す平面図。
【図１５】同実施形態に係るソファユニットの一つを示す斜視図。
【図１６】図１５に示すソファユニットのソファ構成部材及びベースを示す平面図。
【図１７】図１５に示すソファユニットのベースの一部を示す平面図。
【図１８】図１５に示すソファユニットのベースの略一半部を示す斜視図。
【図１９】図１８におけるＡ矢視図。
【図２０】図１８におけるＢ矢視図。
【図２１】図１８におけるＣ矢視図。
【図２２】図１８におけるＤ矢視図。
【図２３】同実施形態に係るソファユニットの他の一つを示す斜視図。
【図２４】図２３に示すソファユニットのベースを示す平面図。
【図２５】図２３に示すソファユニットのベースの略一半部を示す斜視図。
【図２６】同実施形態に係るソファユニットの他の一つを示す斜視図。
【図２７】図２６に示すソファユニットのベースを示す平面図。
【図２８】図２６に示すソファユニットのベースの略一半部を示す斜視図。
【発明を実施するための形態】
【００１６】
本発明の一実施形態について、図面を参照しつつ以下に述べる。
【００１７】
本実施形態は、例えば、図１〜図８に示す複数のソファ構成部材１〜８と、図９〜図１２に示す脚部材９〜１２と、図１３に示す接続部材１３〜１６とを選択的に用いて図１４の（ａ）〜（ｆ）に模式的に示すソファユニットＳ１〜Ｓ６を構成するようにしたものである。
【００１８】
図１に示す第１のソファ構成部材１は、平面視における輪郭が１モジュールに対応する平面視矩形状をなすものであり、座１ａと背凭れ１ｂとを具備してなる。前記背凭れ１ｂは、座１ａの１辺に沿って立設されている。
【００１９】
図２に示す第２のソファ構成部材２は、平面視における輪郭が１．５モジュールに対応する平面視矩形状をなすものであり、座２ａと背凭れ２ｂとを具備してなる。前記背凭れ２ｂは、座２ａの１辺に沿って立設されている。
【００２０】
図３に示す第３のソファ構成部材３は、平面視における輪郭が１モジュールに対応する平面視矩形状をなすものであり、座３ａと背凭れ３ｂとを具備してなる。前記背凭れ３ｂは、座３ａの直交する２辺に沿って立設されている。
【００２１】
図４に示す第４のソファ構成部材は、図１に示す第１のソファ構成部材１に対応した２つの仮想ソファ構成部材を１２０度交差させて合体させた形態をなすもので、座４ａと背凭れ４ｂとを具備してなる。前記背凭れ４ｂは、前記座４ａの１２０度をなして交差する２辺に沿って立設されている。
【００２２】
図５に示す第５のソファ構成部材５は、平面視における輪郭が半モジュールに対応する平面視矩形状をなすものであり、座のみにより構成されている。
【００２３】
図６に示す第６のソファ構成部材６は、平面視における輪郭が１モジュールに対応する平面視矩形状をなすものであり、座のみにより構成されている。
【００２４】
図７に示す第７のソファ構成部材７は、平面視における輪郭が半モジュールに対応する平面視矩形状をなす天板である。
【００２５】
図８に示す第８のソファ構成部材８は、平面視における輪郭が１モジュールに対応する平面視矩形状をなす天板である。
【００２６】
図９に示す脚部材（以下、外装脚部材９と称する）は、ソファ奥行方向に延びるソファ奥行方向横架材２１と、これらソファ奥行方向横架材２１の両端に溶接等により剛結された２本の脚２３と、これら両脚２３の上端部からソファ幅方向に突設された接続アーム２５とを備えている。これらの接続アーム２５は、当該外装脚部材９の内面側にのみ突設されたもので、竪壁２７と、この竪壁２７の上縁及び下縁からそれぞれ延出する水平壁２９とを備えたチャネル状のものである。上下の水平壁２９の中央部には、ソファ構成部材を取り付けるための図示しないネジが挿通されるネジ挿通孔３１、３２が形成されている。また、上の水平壁２９における前記ネジ挿通孔３１の両側に接続部材１３〜１６を取り付けるための孔３３及びナット３４が設けられている。また、前記竪壁２７にも、接続部材１３〜１６を取り付けるための孔３５及びナット３６が設けられている。
【００２７】
図１０に示す脚部材（以下、中間脚部材１０と称する）は、ソファ奥行方向に延びるソファ奥行方向横架材３７と、これらソファ奥行方向横架材３７の下面に溶接等により剛結された２本の脚３９と、前記ソファ奥行方向横架材３７の両端に溶接等により剛結された角パイプ状のパイプ部材４１と、これらパイプ部材４１の両端からそれぞれソファ幅方向に突設された接続アーム４３とを備えている。これらの接続アーム４３は、前記外装脚部材９の接続アーム２５に準じた構成を有したものであり、対応する部分には同一の名称及び符号を付して説明を省略する。
【００２８】
図１１に示す脚部材（以下、コーナー脚部材１１と称する）は、背凭れの下側に位置すべく直角をなして交差する１対の後側横架材４５と、座の前縁に位置すべく直角をなして交差する１対の前側横架材４７と、前記後側横架材４５の交差部に剛結された脚４９と、前記前側横架材４７の交差部に剛結された脚５１と、前記前側横架材４７の中間部の下面に剛結された脚５３と、前記後側横架材４５の開放端及び前記前側横架材４７の交差部に設けられたＬ字形パイプ部材５４から突設された接続アーム５５とを備えている。これらの接続アーム５５は、前記外装脚部材９の接続アーム２５に準じた構成を有したものであり、対応する部分には同一の名称及び符号を付して説明を省略する。また、前記後側横架材４５及び前側横架材４７は、ソファ構成部材を止着するためのネジを挿通させるためのネジ孔５７〜６０を有している。
【００２９】
図１２に示す脚部材（以下、１２０度脚部材１２と称する）は、平面視１２０度の角度をなして交差する後側横架材６１と、前記後側横架材６１の交差部に剛結された脚６３と、平面視１２０度の角度をなして交差する前側横架材６５とを備えている。各横架材６１、６５は、端部に前述した接続アーム２５、４３を嵌入することができる角パイプ状のものである。この１２０度脚部材１２は、前記第４のソファ構成部材４専用のものであり、前記第４のソファ構成部材４に設けられたナットに対応する部位にそれぞれネジ挿通孔６７〜７０を有している。
【００３０】
図１３に示す接続部材１３〜１６は、端部に前記接続アーム２５、４３、５５を嵌入させることができる角柱パイプ状のものであり、その実施形態においては、例えば全長が３モジュール分に対応する第１の接続部材１３（図１３の（ａ））、全長が２モジュール分に対応する第２の接続部材１４（図１３の（ｂ））全長が１モジュール分に対応する第３の接続部材１５（図１３の（ｃ））及び全長が半モジュール分に対応する第４の接続部材１６（図１３の（ｄ））が用意されている。これらの接続部材１３〜１６は、図１３、図１７及び図１８に示すように、その上面にソファ構成部材１〜８を止着するためのネジを挿通させるためのネジ孔７１、７３を有しているとともに、その下面にも前記ネジを挿通させるためのネジ孔７２、７４を有している。そして、前記接続部材１３〜１６の上面及び一側面には、前記接続アーム２５、４３、５５と接続するためのネジを挿通させるためのネジ孔７５を有している。
【００３１】
以上説明した複数のソファ構成部材１〜８と前記脚部材９〜１２に連結部材１３〜１６を組み合わせたベースＢ１〜Ｂ６とを用いて、例えば図１４の（ａ）〜（ｆ）に示すようなソファユニットＳ１〜Ｓ６を構成することができる。
【００３２】
以下、各ソファユニットの構成を説明する。
＜図１４（ａ）のソファユニット＞
このソファユニットＳ１は、図１５〜図２２に示すものであり、図１５は、このソファユニットＳ１の全体を示す斜視図、図１６はこのソファユニットＳ１のベースＢ１とソファ構成部材２、７とを水平方向にずらした状態を示す平面図である。図１７は、ベースＢ１の１モジュール分を拡大して示す平面図であり、図１８は、同ベースＢ１の片半部を示す斜視図である。また、図１９は、図１８におけるＡ拡大矢視図、図２０は、同図におけるＢ拡大矢視図、図２１は、同図におけるＣ拡大矢視図、図２２は、同図におけるＤ拡大矢視図である。なお、図１８では、接続部材１３を想像線で示している。
【００３３】
前記ソファユニットＳ１は、図１５及び図１６に示すように、６モジュール分の大きさを有した直列配置形式のものであり、前述した複数種類のソファ構成部材の中から選択された３つの前記第２のソファ構成部材２及び３つの前記第７のソファ構成部材７と、これらのソファ構成部材２、７を支持するベースＢ１とを具備してなる。
【００３４】
前記ベースＢ１は、図１６及び図１８に示すように、ソファ幅方向両端部に配された対をなす外装脚部材９と、ソファ幅方向中央部に配された中間脚部材１０と、これら外装脚部材９及び中間脚部材１０の間に配された４本の第１の接続部材１３すなわち３モジュール分に対応した長さ寸法を有する第１の接続部材１３とを備えている。各第１の接続部材１３の端部は、対応する前記外装脚部材９及び中間脚部材１０の接続アーム２５、４３に外嵌され、図示しないネジにより抜出不能に止着されている。
【００３５】
このような構成のベース上に、前記第２のソファ構成部材２及び前記第７のソファ構成部材７が配されている。すなわち、図１６に示すように、第２のソファ構成部材２は、１．５モジュールに対応する寸法を有したもので、隣接する２つのモジュールＭに亘って配されている。換言すれば、第２のソファ構成部材２の図１６中左端部分に埋設された前後対をなすナット２ｙは一方のモジュールＭ内、より具体的には該モジュールＭの中間部に設定された従たる止着部Ｍ２に対応し、図１６中右端部分に埋設された前後対をなすナット２ｘは他方のモジュールＭ内、より具体的には該モジュールＭの角部近傍に設定された主たる止着部Ｍ１に対応している。前記第７のソファ構成部材７は、半モジュールに対応する寸法を有したもので、図１６中左側部分に埋設された前後対をなすナット７ｘは対応する各モジュールＭの主たる止着部Ｍ１に対応し、図１６中右側部分に埋設された前後対をなすナット７ｙは各モジュールＭの従たる止着部Ｍ２に対応している。前記主たる止着部Ｍ１は、ベースＢ１に設けられたネジ挿通孔７１、７２に貫通させたネジと、前記ナット２ｘ、７ｘとを備えており、前記ナット２ｘ、７ｘに前記ネジを螺着することにより機能する。又、前記従たる止着部Ｍ２は、ベースＢ１に設けられたネジ挿通孔７３、７４に貫通させたネジと、前記ナット２ｙ、７ｙとを備えており、前記ナット２ｙ、７ｙに前記ネジを螺着することにより機能する。そして、前記第２のソファ構成部材２及び前記第７のソファ構成部材７は、前記ベースＢ１上に交互に配置されている。その上で、１．５モジュールに対応する寸法を有した前記第２のソファ構成部材２及び半モジュールに対応する寸法を有した前記第７のソファ構成部材７は、いずれも前記主たる止着部Ｍ１及び前記従たる止着部Ｍ２の双方を介して前記ベースＢ１に止着されている。
【００３６】
なお、各モジュールＭは、平面視１辺の長さがｄ１、より具体的には７００ｍｍの正方形の領域である。また、各モジュールＭ内における主たる止着部Ｍ１間の距離、換言すれば接続部材１３に設けられ前記主たる止着部Ｍ１を構成するネジ挿通孔７１間の距離はｄ２、より具体的には５００ｍｍである。互いに隣接する主たる止着部Ｍ１と従たる止着部Ｍ２との距離、換言すれば接続部材１３に設けられ前記主たる止着部Ｍ１を構成するネジ挿通孔７１と前記従たる止着部Ｍ２を構成するネジ挿通孔７２との間の距離はｄ３、より具体的には１５０ｍｍである。そして、各モジュール内における一半部に位置する主たる止着部と他半部に位置する従たる止着部との距離、換言すれば前記接続部材１３の一半部に設けられ前記主たる止着部Ｍ１を構成するネジ挿通孔７１と前記接続部材１３の他半部に設けられ前記従たる止着部Ｍ２を構成するネジ挿通孔７２との間の距離はｄ１／２、より具体的には３５０ｍｍである。
＜図１４（ｂ）のソファユニット＞
このソファユニットＳ２は、図２３〜図２５に示すものであり、図２３は、このソファユニットＳ２の全体を示す斜視図、図２３はこのソファユニットＳ２のベースＢ２を示す平面図である。図２５は、同ベースＢ２の略片半部を示す斜視図である。なお、図２５では、接続部材１３を想像線で示している。
【００３７】
前記ソファユニットＳ２は、図２３に示すように、７モジュール分の大きさを有したＬ字配置形式のものであり、前述した複数種類のソファ構成部材の中から選択された２つの前記第２のソファ構成部材２、１つの前記第５のソファ構成部材５、２つの前記第６のソファ構成部材６、１つの前記第７のソファ構成部材７及び１つの前記第８のソファ構成部材８と、これらのソファ構成部材を支持するベースＢ２とを具備してなる。
【００３８】
前記ベースＢ２は、Ｌ字の両端部に配された対をなす外装脚部材９と、Ｌ字の頂点部分に配されたコーナー脚部材１１と、これら外装脚部材９及びコーナー脚部材１１の間に配された４本の第１の接続部材１３すなわち３モジュール分に対応した長さ寸法を有する第１の接続部材１３とを備えている。各第１の接続部材１３の端部は、対応する前記外装脚部材９及びコーナー脚部材１１の接続アーム２５、５５に外嵌され、前記ソファ構成部材２、５〜８の底部に埋設された図示しないナットに螺着された図示しないネジにより抜出不能に止着されている。
【００３９】
このような構成のベースＢ２には、図２４及び図２５に示すように、各モジュールＭごとに同一のパターンをなして配された主たる止着部Ｍ１及び従たる止着部Ｍ２を構成するネジ挿通孔３１、３２、５７〜６０が設けられており、前記止着部Ｍ１、Ｍ２を介して前記ベースＢ２上に前記各ソファ構成部材２、５〜８が取り付けられている。各ソファ構成部材２、５〜８の前記ベースＢ２に対するネジによる止着態様は、前記図１４（ａ）のソファユニットにおけるものに準じたものであり、詳細な説明は省略する。なお、前記主たる止着部Ｍ１は、各モジュールＭの角部に形成されており、前記従たる止着部Ｍ２は、各モジュールＭの中央寄りの部位に形成されている。そして、１．５モジュールに対応する寸法を有した前記第２のソファ構成部材２、半モジュールに対応する寸法を有した前記第５のソファ構成部材５及び同じく半モジュールに対応する寸法を有した前記第７のソファ構成部材７は、いずれも前記主たる止着部Ｍ１及び前記従たる止着部Ｍ２の双方を介して前記ベースＢ２に止着されている。一方、１モジュールに対応する寸法を有した前記第６のソファ構成部材６は、２つとも前記主たる止着部Ｍ１のみを介して前記ベースＢ２に止着されており、同じく１モジュールに対応する寸法を有した前記第８のソファ構成部材８は、前記従たる止着部Ｍ２のみを介して前記ベースＢ２に止着されている。
＜図１４（ｃ）のソファユニット＞
このソファユニットＳ３は、前記図１４（ｂ）に示すソファユニットＳ２のベースＢ２に対して１モジュール分だけ片側を短くする変更を加えただけのものである。この変更は、コーナー脚部材１１と一方の外装脚部材９とを接続する接続部材を、前記第１の接続部材１３に代えて、２モジュール分の長さ寸法を有する前記第２の接続部材１４に変更し、ベースＢ３を得ることにより実現することができる。なお、ベースＢ３は図示を省略している。その上で、前記ベースＢ３上に、前述した複数種類のソファ構成部材の中から選択された３つの前記第１のソファ構成部材１、１つの前記第３のソファ構成部材３、１つの前記第６のソファ構成部材６及び１つの前記第８のソファ構成部材８が配されている。各ソファ構成部材１、３、６、８の前記ベースＢ３に対するネジによる止着態様は、前記図１４（ａ）のソファユニットＳ１におけるものに準じたものであり、詳細な説明は省略する。
＜図１４（ｄ）のソファユニット＞
このソファユニットＳ４は、前記図１４（ａ）に示すソファユニットＳ１のベースＢ１に対して２モジュール分だけ短くする変更を加えただけのベースＢ４を前後２列に配置したものである。前記ベースの変更は、中間脚部材１０と外装脚部材９とを接続する接続部材のすべてを、前記第１の接続部材１３に代えて、２モジュール分の長さ寸法を有する前記第２の接続部材１４に変更することにより実現することができる。なお、ベースＢ４は図示を省略している。その上で、前記ベースＢ４上に、前述した複数種類のソファ構成部材の中から選択された２つの前記第２のソファ構成部材２、４つの前記第６のソファ構成部材６及び２つの前記第７のソファ構成部材７が配されている。各ソファ構成部材２、６、７の前記ベースＢ４に対するネジによる止着態様は、前記図１４（ａ）のソファユニットにおけるものに準じたものであり、詳細な説明は省略する。
＜図１４（ｅ）のソファユニット＞
このソファユニットＳ５は、図２６〜図２８に示すものであり、図２６は、このソファユニットＳ５の全体を示す斜視図、図２７はこのソファユニットＳ５のベースＢ５を示す平面図である。図２８は、同ベースＢ５の略片半部を示す斜視図である。なお、図２８では、１２０度脚部材１２及び接続部材１３を想像線で示している。
【００４０】
前記ソファユニットＳ５は、前述した複数種類のソファ構成部材の中から選択された４つの前記第１のソファ構成部材１及び２つの前記第４のソファ構成部材４と、これらのソファ構成部材を支持するベースＢ５とを具備してなる。
【００４１】
前記ベースＢ５は、図２７及び図２８に示すように、ソファユニットＳ５の両端部に配された対をなす外装脚部材９と、ソファユニットＳ５の中央部に配されたメインの中間脚部材１０と、この中間脚部材１０の両側にそれぞれ６０度の角度をなして配された対をなすサブの中間脚部材１０と、前記メインの中間脚部材１０と前記サブの中間脚部材１０との間にそれぞれ配された前記１２０度脚部材１２と、前記外装脚部材９と前記サブの中間脚部材１０との間に配された４本の第２の接続部材１４すなわち２モジュール分に対応した長さ寸法を有する第２の接続部材１４とを備えている。各接続部材１４の端部は、対応する前記外装脚部材９及び中間脚部材１０の接続アーム２５、４３に外嵌され、前記ナットに螺着された図示しないネジにより抜出不能に止着されている。また、前記１２０度脚部材１２を構成する後側横架材６１及び前側横架材６５の端部は、対応する中間脚部材１０の接続アーム４３に外嵌され、前記ナットに螺着された図示しないネジにより抜出不能に止着されている。
【００４２】
このような構成のベースＢ５上に、前記第１のソファ構成部材１及び前記第４のソファ構成部材４が配されている。すなわち、第１のソファ構成部材１は、１モジュールに対応する寸法を有する。各第１のソファ構成部材１の前記ベースＢ５に対するネジによる止着態様は、前記図１４（ａ）のソファユニットＳ１におけるものに準じたものであり、主たる止着部Ｍ１のみを介して前記ベースＢ５に止着されている。なお、各第１のソファ構成部材１の前記ベースＢ５に対するネジによる止着態様のこれ以上の詳細な説明は省略する。一方、前記第４のソファ構成部材４は、主たる止着部Ｍ１において前記ベースＢ５の１２０度脚部材１２上に取り付けられている。すなわち、１２０度脚部材１２には、前記主たる止着部Ｍ１を構成するネジ挿通孔６７、６９が設けられており、このネジ挿通孔６７、６９に挿通させた図示しないネジを前記第４のソファ構成部材４に埋設された図示しないナットに螺着することにより当該第４のソファ構成部材４をベースＢ５上に取り付けている。なお、前記１２０度脚部材１２には、主たる止着部Ｍ１を構成するネジ挿通孔６７、６９だけでなく、図示しない他のソファ構成部材を取り付けることを可能にするために、従たる止着部Ｍ２を構成するネジ挿通孔６８、７０も設けられている。
＜図１４（ｆ）のソファユニット＞
このソファユニットＳ６は、前記図１４（ｅ）に示すソファユニットＳ５のベースＢ５に対して以下の変更を加えたものである。すなわち、ソファユニットＳ６の中央部にメインの中間脚部材１０を２つ設け、これらメインの中間脚部材１０間を２モジュール分に対応した長さ寸法を有する第２の接続部材１４により接続しているとともに、前記外装脚部材９と前記サブの中間脚部材１０との間を、前記第２の接続部材１４に代えて、１モジュール分に対応した長さ寸法を有する第３の接続部材１５により接続することにより、このソファユニットＳ６のベースＢ６を得るようにしている。なお、ベースＢ６は図示を省略している。その上で、前記ベースＢ６上に、前述した複数種類のソファ構成部材の中から選択された４つの前記第１のソファ構成部材１及び２つの前記第４のソファ構成部材４が配されている。各ソファ構成部材１、４の前記ベースＢ６に対するネジによる止着態様は、前記図１４（ａ）及び前記図１４（ｅ）のソファユニットＳ１、Ｓ５におけるものに準じたものであり、詳細な説明は省略する。
【００４３】
以上説明したように、本実施形態によれば、複数種類のソファ構成部材の中から選択された特定の１又は２以上のソファ構成部材１〜８と、そのソファ構成部材１〜８を支持するベースＢ１〜Ｂ６とを具備してなり、前記ベースＢ１〜Ｂ６が、脚を有する複数の脚部材９〜１２の中から選択された特定の１又は２以上の脚部材９〜１２により構成されたものであるので、多様な形態のソファユニットＳ１〜Ｓ６を自在に構築することができる。すなわち、本実施形態によれば、ソファ構成部材１〜８だけでなく、ベースＢ１〜Ｂ６の形態をも種々変更することができるため、ソファユニットＳ１〜Ｓ６全体の大きさや形を容易に変化させることができる。
【００４４】
なお、本発明は以上に述べた実施形態に限らない。
【００４５】
例えば、ベースは脚部材と接続部材とを組み合わせたものに限らず、あらかじめ用意した複数種類の脚部材から適宜選択してソファユニットを構築するようにしてもよい。但し、前記実施形態のように、ベースを脚部材とこれら脚部材同士を接続する脚を有しない接続部材とを備えたものとすると、長さ寸法の異なった脚を有しない接続部材を用意しておくだけでベースの形態を大きく変化させることが可能となり、脚部材の種類を最小限にとどめることが可能となる。換言すれば、比較的少ない種類の脚部材を用意するだけで、多様な形態のベースを実現することができ、ひいてはソファユニット全体のデザインの自由度を高めることもできる。
【００４６】
また、平面視における全体の輪郭は任意に設定してよい。但し、前記実施形態のように、平面視における全体の輪郭を、１又は２以上の平面視矩形状の単位モジュールを隣接配置した形態に対応させ、前記ソファ構成部材の平面視における輪郭が半モジュール、１モジュール、又は１．５モジュールのいずれかに対応するものとすると、要望に応じたソファ構成部材の組み合わせや、平面視における全体の輪郭の設定を容易に行うことができる。但し、前記ソファ構成部材の平面視における輪郭が、２モジュール、２．５モジュールといった、半モジュールの整数倍のものを用いても、上記効果は得ることができる。さらに、前記ソファ構成部材と前記ベースとの間の止着部が、各モジュールごとに同一の箇所に設けられているものであれば、部材の共通化を容易に図ることができる。加えて、前記止着部が、ベースに設けられたネジ挿通孔に貫通させたネジと、前記ソファ構成部材の底部に設けられたナットとを備えたものであれば、前記ナットに前記ネジ挿通孔に貫通させたネジを螺着する簡単な操作によりソファユニットの組立を行うことができる。一方、平面視における輪郭を１モジュールに対応したものとし、平面視における輪郭が１モジュールに対応するソファ構成部材と、上述した実施形態におけるコーナー脚部材に類似した構成の枠状の脚部材とを具備する構成も採用できる。
【００４７】
そして、ソファ構成部材とベースとの間の止着部も任意の箇所の設定可能であるが、前記実施形態のようの構成のもの、すなわち、前記各モジュールごとに、当該モジュールの角部近傍に配された主たる止着部と、これら各止着部から一定距離だけ内側に位置させて配された従たる止着部とが設けられているものであれば、半モジュール単位で任意のソファ構成部材をベース上に設置することができる。特に、前記ソファ構成部材の平面視における輪郭が１モジュールに対応するものは前記主たる止着部のみ又は前記従たる止着部のみを介して前記ベースに止着されるとともに、前記ソファ構成部材の平面視における輪郭が半モジュール又は１．５モジュールに対応するものは前記主たる止着部及び前記従たる止着部の双方を介して前記ベースに止着されるようにすれば、前述した効果を容易に得ることができる。さらに、前記ソファ構成部材の平面視における輪郭が、２モジュール以上で半モジュールの整数倍のものを用いた場合であっても、前記輪郭が１モジュールの整数倍のものは前記主たる止着部のみ又は前記従たる止着部のみを介して前記ベースに止着されるとともに、前記輪郭が半モジュールの奇数倍のものは前記主たる止着部及び前記従たる止着部の双方を介して前記ベースに止着されるようにすれば、同様に前述した効果を容易に得ることができる。
【００４８】
その他、本発明の趣旨を損ねない範囲で種々に変更してよい。
【符号の説明】
【００４９】
Ｓ１〜Ｓ６…ソファユニット
１〜８…ソファ構成部材
Ｂ１〜Ｂ６…ベース
９〜１２…脚部材
１３〜１６…接続部材
【図１】
2019054835.tif 000003
【図２】
2019054835.tif 000004
【図３】
2019054835.tif 000005
【図４】
2019054835.tif 000006
【図５】
2019054835.tif 000007
【図６】
2019054835.tif 000008
【図７】
2019054835.tif 000009
【図８】
2019054835.tif 000010
【図９】
2019054835.tif 000011
【図１０】
2019054835.tif 000012
【図１１】
2019054835.tif 000013
【図１２】
2019054835.tif 000014
【図１３】
2019054835.tif 000015
【図１４】
2019054835.tif 000016
【図１５】
2019054835.tif 000017
【図１６】
2019054835.tif 000018
【図１７】
2019054835.tif 000019
【図１８】
2019054835.tif 000020
【図１９】
2019054835.tif 000021
【図２０】
2019054835.tif 000022
【図２１】
2019054835.tif 000023
【図２２】
2019054835.tif 000024
【図２３】
2019054835.tif 000025
【図２４】
2019054835.tif 000026
【図２５】
2019054835.tif 000027
【図２６】
2019054835.tif 000028
【図２７】
2019054835.tif 000029
【図２８】
2019054835.tif 000030